【事件の表示】
　特願２０１３−１７４４１６「画像形成装置」拒絶査定不服審判事件〔平成２７年３月５日出願公開、特開２０１５−４３０２４、請求項の数（５）〕について、次のとおり審決する。
【結　論】
　原査定を取り消す。
　本願の発明は、特許すべきものとする。
【理　由】
第１　手続の経緯
　本願は，平成２５年８月２６日に特願２０１３−１７４４１６号として出願したものであって，これまでの手続は次のとおりである
　平成２９年　１月２５日　拒絶理由通知
　平成２９年　４月　３日　意見書・手続補正
　平成２９年　５月３１日　拒絶査定
　平成２９年　９月　１日　審判請求
第２　現査定の概要
　原査定（平成２９年５月３１日付け拒絶査定）の概要は次のとおりである。
　本願請求項１乃至５に係る発明は，以下の引用文献１乃至３及び５に基づいて，その発明の属する技術の分野における通常の知識を有する者（以下，「当業者」という。）が容易に発明できたものであるから，特許法第２９条第２項の規定により特許を受けることができない。
　引用文献等一覧
　１．特開２００６−１７１５１２号公報
　２．特開２００５−１８６５５０号公報
　３．特開２０１３−８８６２７号公報
　５．特開２００６−８２９３７号公報
第３　本願発明
　本願の請求項１乃至５に係る発明（以下，それぞれ「本願発明１」，「本願発明２」などという。）は，平成２９年４月３日付けで補正された特許請求の範囲における，請求項１乃至５に記載された事項によって特定されるべきものであり，その記載は次のとおりである。
　「【請求項１】
　用紙に画像を形成する画像形成部と，
　前記画像形成部の用紙搬送方向上流に配置され，前記画像形成部に搬送される用紙の検出対象位置が通過する際に幅方向中央から端部に向けて走査することにより用紙の幅方向の位置を検出する片寄り検出部と，
　前記片寄り検出部の検出結果に基づいて，用紙と画像の位置合わせを行う位置合わせ部と，
　予め設定された前記検出対象位置に画像が形成されている用紙が用いられる場合に，前記検出対象位置を含む片寄り補正に関する情報を再設定する制御部と，を備え，
　前記位置合わせ部は，前記片寄り検出部の用紙搬送方向上流に配置され，前記画像形成部に用紙を搬送するレジストローラーと，前記レジストローラーを用紙幅方向に直線移動させ，用紙の幅方向の位置を基準位置に戻す片寄り補正部と，を有し，
　前記制御部は，少なくとも前記用紙が転写部に到達する前に前記レジストローラーの直線移動動作を完了できる検出適合領域内で前記検出対象位置を再設定することを特徴とする画像形成装置。
　　【請求項２】
　前記制御部は，前記検出対象位置の再設定ができない場合に前記位置合わせ部の機能を無効とすることを特徴とする請求項１に記載の画像形成装置。
　　【請求項３】
　画像形成に用いられる用紙に予め形成された画像を読み取る画像読取部を備え，
　前記制御部は，前記画像読取部によって読み取られた画像に基づいて，前記検出対象位置を含む片寄り補正に関する情報を再設定することを特徴とする請求項１又は２に記載の画像形成装置。
　　【請求項４】
　前記片寄り検出部が，前記画像読取部として機能することを特徴とする請求項３に記載の画像形成装置。
　　【請求項５】
　前記検出対象位置をユーザーが設定可能な操作部を備えることを特徴とする請求項１から４のいずれか一項に記載の画像形成装置。」
第４　引用文献，引用発明等
　１　引用文献１について
　平成２９年１月２５日付け拒絶の理由に引用し，本願の出願日前である平成１８年６月２９日に頒布された特開２００６−１７１５１２号公報（以下「引用文献１」という。）には，図面とともに，以下の事項が記載されている。（下線は，当審で付与した。他の下線についても同じ。）
　ア「【０００４】
　
シート給送装置４０８が所定の装着位置に押し込まれてプリンタ本体４０１に装填されると，図示しないセンサが各シート給送装置４０８の装填を検出し，図示しない昇降テーブル駆動用ギアと係合し，昇降テーブルに積載された用紙の最上面（昇降テーブル上に用紙が存在しない場合は昇降テーブル上面）が，給紙ローラ４０９に当接するまで昇降テーブルの上昇動作が行われる。４０３は感光ドラムを示し，図示しないコントローラからの信号に基づいて回転を始める。感光ドラム４０３が回転を開始すると，図示しないコロナ帯電器によって感光ドラム４０３表面が均一に帯電される。次に帯電した感光ドラム４０３に，図示しない上位システムより送信される画像データに基づいたレーザ光が走査光学部４０２より照射され，画像信号に対応した静電潜像を形成する。静電潜像は図示しない現像装置の位置に到達するとトナーによって現像され，感光ドラム４０３上にトナー像として可視化される。こうして公知の電子写真プロセスにより形成されたトナー像は転写剥離装置４０５によりシート供給装置４０８から送り出されてきた用紙に転写される。用紙上に転写されたトナーは定着装置４０４により用紙上に定着される。
　イ「【０００７】
　ラインセンサ５０１を用いた用紙端部位置検出及び印刷開始位置補正について以下に説明する。
ラインセンサ５０１は，図示しない複数のＬＥＤ，複数の受光素子，及び内部制御回路部から構成されている反射形ラインセンサであり，シート給送装置４０８から給紙される用紙及び両面搬送路４１２から搬送される用紙が通過する用紙ガイド５０７に，用紙の搬送方向と直角に配置される。
　ウ「【００１０】
　ラインセンサ５０１による用紙端部位置データの取得シーケンスについては以下のとおりである。まず，
プリンタ制御部５０８はＬＥＤを発光させる信号，クロック及びスタート信号をラインセンサ５０１に送信する。ＬＥＤ発光信号によりラインセンサ５０１のＬＥＤは点灯し，用紙によって覆われている受光素子部分には用紙に反射したＬＥＤ光が入る。
プリンタ制御部５０８とラインセンサ５０１間に設けた図示しないＡＤ変換回路部で設定されたしきい値により二値化され，用紙のある部分は“Ｈ”信号，用紙のない部分は“Ｌ”信号としてプリンタ制御部５０８に送信される。
【００１１】
　ラインセンサ５０１と用紙とは前述の位置関係にある為，用紙がラインセンサ５０１の受光素子面を覆った部分から“Ｈ”信号が送信される。
プリンタ制御部５０８ではラインセンサ５０１から出力された“Ｈ”信号の数をカウントし，１９発連続して“Ｈ”信号をカウントできた部位を用紙端と認識する用紙端認識回路を設けている。
　エ「【００１５】
　印刷する用紙が無地の白色の場合は，用紙検出時のラインセンサ５０１出力電圧はしきい値を十分超え，正常な検出が行われる。しかし，
印刷する用紙がプレプリント紙で，ラインセンサ５０１で用紙端を認識する部位にこのプレプリント印刷がある場合には，プレプリントの色・濃度によりラインセンサ５０１の出力電圧が低下する。
　オ「【００２２】
　プレプリント紙に印刷を行う場合のオペレータパネル５１０の設定メニューについて説明する。オペレータパネル５１０にて用紙種としてプレプリント用紙を選択した場合，用紙端部位置検出機能の有効・無効設定を選択できるようにしている。ここで無効と設定された場合は，プリンタ制御部５０８では，用紙端部位置検出を行わず，また水平方向の印刷開始位置補正を実施せずに印刷動作を行う。有効が選択された場合には，用紙端部位置検出位置の補正設定メニューに移行する。用紙端部位置検出補正設定は用紙先端・用紙後端検出用に２種類設定できるようにしている。ここで，図５に示すプレプリント用紙の印刷を行う場合について説明する。図５における
プレプリント用紙は，用紙先端及び後端の用紙端部位置検出部にプレプリントがある。用紙サイズはＡ３とする。用紙端検出部から，プレプリントのない部位までの距離は先端側で１０ｍｍ，後端側で５ｍｍとする。ここに記載している用紙端検出部は初期設定における検出部で，先端側は用紙先端から６３ｍｍ，後端側は用紙後端から４３ｍｍの位置である。前記のとおり，用紙端検出部をプレプリント領域から外す為に，先端側の用紙端部位置検出部を１５ｍｍ後端側にずらし，後端側の用紙端部位置検出ポイントを１０ｍｍ先端端側にずらすようにオペレータパネル５１０から設定する。オペレータパネル５１０からの検出部設定範囲は，用紙先端側はラインセンサ５０１による読取タイミングの基準としているタイミングセンサ５０３への用紙到達後から，画像データの書き出し前までの期間であり，距離に換算すると，用紙先端から５３ｍｍ〜８３ｍｍの間である。
　カ「【００２３】
　印刷が開始されると，図１に示すフローに従って制御を実行する。まず
プリンタ制御部５０８がコントローラ５０９からの印刷起動コマンドを受信すると，印刷動作を開始する。
オペレータパネル５１０から設定された用紙先端及び後端の用紙端部位置検出位置補正データを取得し，各々の検出タイミングを演算する。前記のように用紙端位置検出ポイントを設定した場合，時間に換算すると，用紙の搬送速度４１５ｍｍ／ｓの場合，３６ｍｓとなる。
【００２４】
　シート給送装置４０８より用紙がピックされると，図４に示すタイミングセンサ５０３に用紙が到達する。
プリンタ制御部５０８では，用紙がタイミングセンサ５０３に到達後，前記にて演算された検出タイミングの通り，タイミングセンサ５０３到達後６１ｍｓ経過したかどうかの判定を行う。６１ｍｓ経過したら図６のラインセンサ５０１により用紙端部位置データを取得する
前記で取得したデータが潜像形成後の用紙端部位置データであるかどうかを判断する。ここで取得した用紙端部位置データは潜像形成後の用紙端部位置データではない為，続いて得られた用紙端部位置データとプリンタ制御部５０８内のメモリに記録した基準の用紙端部位置データとを比較し，その差分を演算する
更にここで得られた差分に予め初期調整時に得られプリンタ制御部５０８のメモリ内に記録している印刷開始位置補正値を付加し，幅方向の印刷開始位置補正値を決定する
プリンタ制御部５０８は図示しない印刷開始位置補正回路部に対して印刷開始位置補正データを出力する。印刷開始位置補正回路部では上位システムより送信される画像データに対して，本補正データに基づき印刷開始位置補正を行う。
　引用文献１の上記記載事項を含め，引用文献１の全記載を総合すると，引用文献１には以下の事項（以下，「引用発明１」という。）が記載されていると認められる。
　「感光ドラム４０３が回転を開始すると，コロナ帯電器によって感光ドラム４０３表面が均一に帯電され，次に帯電した感光ドラム４０３に，上位システムより送信される画像データに基づいたレーザ光が走査光学部４０２より照射され，画像信号に対応した静電潜像を形成し，該静電潜像は現像装置の位置に到達するとトナーによって現像され，感光ドラム４０３上にトナー像として可視化される公知の電子写真プロセスにより形成されたトナー像は，転写剥離装置４０５によりシート供給装置４０８から送り出されてきた用紙に転写され，用紙上に転写されたトナーは定着装置４０４により用紙上に定着されるプリンタ本体４０１において，
　複数のＬＥＤ，複数の受光素子，及び内部制御回路部から構成されている反射形ラインセンサであるラインセンサ５０１は，シート給送装置４０８から給紙される用紙及び両面搬送路４１２から搬送される用紙が通過する用紙ガイド５０７に，用紙の搬送方向と直角に配置され，
　プリンタ制御部５０８はＬＥＤを発光させる信号，クロック及びスタート信号をラインセンサ５０１に送信し，ＬＥＤ発光信号によりラインセンサ５０１のＬＥＤは点灯し，用紙によって覆われている受光素子部分には用紙に反射したＬＥＤ光が入るものであって，
　プリンタ制御部５０８とラインセンサ５０１間に設けたＡＤ変換回路部で設定されたしきい値により二値化され，用紙のある部分は“Ｈ”信号，用紙のない部分は“Ｌ”信号としてプリンタ制御部５０８に送信され，
　プリンタ制御部５０８ではラインセンサ５０１から出力された“Ｈ”信号の数をカウントし，１９発連続して“Ｈ”信号をカウントできた部位を用紙端と認識する用紙端認識回路を設け，
　用紙サイズがＡ３のプレプリント用紙の場合には，用紙先端及び後端の用紙端部位置検出部にプレプリントがあり，初期設定における用紙端検出部の先端側は用紙先端から６３ｍｍ，後端側は用紙後端から４３ｍｍとなっており，該用紙端検出部から，プレプリントのない部位までの距離は先端側で１０ｍｍ，後端側で５ｍｍであって，
　先端側の用紙端部位置検出部を１５ｍｍ後端側にずらし，後端側の用紙端部位置検出ポイントを１０ｍｍ先端端側にずらすようにオペレータパネル５１０から設定するものであるが，
　オペレータパネル５１０からの検出部設定範囲は，用紙先端側はラインセンサ５０１による読取タイミングの基準としているタイミングセンサ５０３への用紙到達後から，画像データの書き出し前までの期間であり，距離に換算すると，用紙先端から５３ｍｍ〜８３ｍｍの間であって，
　プリンタ制御部５０８がコントローラ５０９からの印刷起動コマンドを受信すると，印刷動作を開始し，
　オペレータパネル５１０から設定された用紙先端及び後端の用紙端部位置検出位置補正データを取得し，各々の検出タイミングを演算するが，前記のように用紙端位置検出ポイントを設定した場合，時間に換算すると，用紙の搬送速度４１５ｍｍ／ｓの場合，用紙先端側で３６ｍｓとなるもので，
　プリンタ制御部５０８では，用紙がタイミングセンサ５０３に到達後，前記にて演算された検出タイミングの通り，タイミングセンサ５０３到達後６１ｍｓ経過したかどうかの判定を行い，６１ｍｓ経過したらラインセンサ５０１により用紙端部位置データを取得し，
　取得した用紙端部位置データは潜像形成後の用紙端部位置データではない為，続いて得られた用紙端部位置データとプリンタ制御部５０８内のメモリに記録した基準の用紙端部位置データとを比較し，その差分を演算し，
　該差分に予め初期調整時に得られプリンタ制御部５０８のメモリ内に記録している印刷開始位置補正値を付加し，幅方向の印刷開始位置補正値を決定し，プリンタ制御部５０８は印刷開始位置補正回路部に対して印刷開始位置補正データを出力し，印刷開始位置補正回路部では上位システムより送信される画像データに対して，本補正データに基づき印刷開始位置補正を行うプリンタ本体４０１。」
　２　引用文献３について
　平成２９年１月２５日付け拒絶の理由に引用し，本願の出願日前である平成２５年５月１３日に頒布された特開２０１３−８８６２７号公報（以下「引用文献３」という。）には，図面とともに，以下の事項が記載されている。
　キ「【００３２】
　以下に，本発明の一実施形態を添付図面に基づき説明する。
図１は，本発明の画像形成装置１の機械的構成を示す図であり，以下に説明する。
図１において，１０は画像形成部，３０は原稿読み取り部である。
　原稿読み取り部３０では，自動原稿搬送装置（図１では省略）で搬送される原稿，またはプラテン３１上に配置された原稿の画像を読み取り，一旦，図示しない画像メモリーなどに記録される。
　
画像形成部１０では
各感光体１１Ｃ，１１Ｍ，１１Ｙ，１１Ｋの周線部に帯電器１２Ｃ，１２Ｍ，１２Ｙ，１２Ｋ，書き込み部１３Ｃ，１３Ｍ，１３Ｙ，１３Ｋ，現像ユニット１４Ｃ，１４Ｍ，１４Ｙ，１４Ｋが配設されていており，帯電器１２Ｃ，１２Ｍ，１２Ｙ，１２Ｋによって帯電した感光体１１Ｃ，１１Ｍ，１１Ｙ，１１Ｋ表面は，画像メモリーなどに記録された原稿の画像情報に基づいて書き込み部１３Ｃ，１３Ｍ，１３Ｙ，１３Ｋにより像露光が行われ，感光体１１Ｃ，１１Ｍ，１１Ｙ，１１Ｋ表面には潜像が形成される。該潜像は現像ユニット１４Ｃ，１４Ｍ，１４Ｙ，１４Ｋによって現像がなされてトナー像となる。トナー像は，中間転写ベルト１６に転写され，該中間転写ベルト１６から二次転写ローラ１８によって搬送路２２で搬送される用紙に転写される。転写された用紙は定着装置１９によって加熱定着されて排紙部に画像形成出力（プリント）がなされる。
　ク「【００４７】
　次に，搬送路２２上におけるレジストローラ２３近傍の構成を図３に基づいて説明する。
　
搬送路２２には，二次転写ローラ１８の搬送方向手前側にレジスト部が設けられており，レジスト部は上下に対となるレジストローラ２３で構成されている。
レジストローラ２３のすぐ下流側にあるラインセンサ２３０で用紙Ｐの端部位置を読み取る。また，レジストローラ２３は，用紙Ｐを挟んで用紙Ｐを主走査方向（通紙交差方向）に移動（揺動）させることができる。したがって，レジストローラ２３は，本発明の片寄り補正部を構成する。レジストローラ２３の揺動は，画像制御ＣＰＵ１１３で制御される。
　ケ「【００４８】
　図３（ａ）では，レジストローラ２３は，中心２３ａが基準位置ＨＰに位置している。
　また，
レジストローラ２３の搬送方向直後には，主走査方向に沿ってＣＣＤセンサなどで構成されるラインセンサ２３０が配置されている。ラインセンサ２３０は，用紙Ｐの通紙交差方向端部位置を読み取り，その結果が画像制御ＣＰＵ１１３に送信される。ラインセンサ２３０は，本発明の用紙位置測定部に相当する。
【００４９】
　なお，図３の（ａ）は，レジストローラ２３に達した用紙Ｐに片寄り量ｘで片寄りが生じている状態を示している。
　
ラインセンサ２３０では，上記のように搬送される用紙Ｐの搬送方向に沿った用紙端が測定され，画像制御ＣＰＵ１１３に測定結果が送信される
画像制御ＣＰＵ１１３は，上記用紙サイズとラインセンサ２３０による測定結果とから用紙中心Ｐ０の位置を判定する
画像制御ＣＰＵ１１３では，中間転写ベルト１６上に作像している画像中心Ｇ０を設定しており，この例では，画像中心Ｇ０は中間転写ベルト１６のセンターラインに一致している。画像制御ＣＰＵ１１３では前記用紙中心Ｐ０と前記画像中心Ｇ０との差分を算出する。この差分が用紙の片寄り量ｘになっている
【００５０】
　図３の（ｂ）は，片寄り量ｘを補正した状態を示している。
　
画像形成装置では，画像制御ＣＰＵ１１３において，上記片寄り量ｘに基づいて，用紙中心Ｐ０が画像中心Ｇ０に揃うようにレジストローラ２３の揺動量−ｘを決定し，その後，決定した揺動量−ｘだけレジストローラ２３を基準位置ＨＰから揺動させて用紙Ｐを補正量−ｘだけ移動させる。これにより画像中心Ｇ０と用紙中心Ｐ０とが合致し，レジストローラ２３で送られる用紙が二次転写ローラ１８へ送り込まれる
用紙Ｐの主走査方向の片寄りを補正し，画像位置に合わせることができる
　なお，上記説明では，画像中心Ｇ０が中間転写ベルト１６のセンターラインに一致するものとして説明したが，該センターラインと異なる位置に画像中心Ｇ０を設定するものであってもよい。」
　引用文献３の上記記載事項を含め，引用文献３の全記載を総合すると，引用文献３には以下の事項（以下，「引用発明３」という。）が記載されていると認められる。
　「各感光体の周線部に帯電器，書き込み部，現像ユニットが配設されていており，帯電器によって帯電した感光体表面は，画像メモリーなどに記録された原稿の画像情報に基づいて書き込み部により像露光が行われ，感光体表面には潜像が形成され，該潜像は現像ユニットによって現像がなされてトナー像となり，該トナー像は，中間転写ベルト１６に転写され，該中間転写ベルト１６から二次転写ローラ１８によって搬送路２２で搬送される用紙に転写され，転写された用紙は定着装置１９によって加熱定着されて排紙部に画像形成出力（プリント）がなされる画像形成装置１であって，
　搬送路２２には，二次転写ローラ１８の搬送方向手前側に上下に対となるレジストローラ２３で構成されているレジスト部が設けられており，
　画像制御ＣＰＵ１１３によって制御されることで揺動する該レジストローラ２３は，用紙Ｐを挟んで用紙Ｐを主走査方向（通紙交差方向）に移動（揺動）させることで片寄り補正部を構成し，
　レジストローラ２３の搬送方向直後には，主走査方向に沿ってＣＣＤセンサなどで構成されるラインセンサ２３０が配置されており，
　用紙位置測定部に相当する該ラインセンサ２３０は，用紙Ｐの通紙交差方向端部位置を読み取り，その結果を画像制御ＣＰＵ１１３に送信するものであって，
　画像制御ＣＰＵ１１３は，用紙サイズとラインセンサ２３０による測定結果とから用紙中心Ｐ０の位置を判定し，中間転写ベルト１６上に作像している画像中心Ｇ０を中間転写ベルト１６のセンターラインに一致するように設定することで，前記用紙中心Ｐ０と前記画像中心Ｇ０との差分である用紙の片寄り量ｘにを算出し，
　上記片寄り量ｘに基づいて，用紙中心Ｐ０が画像中心Ｇ０に揃うようにレジストローラ２３の揺動量−ｘを決定し，決定した揺動量−ｘだけレジストローラ２３を基準位置ＨＰから揺動させて用紙Ｐを補正量−ｘだけ移動させ，
　画像中心Ｇ０と用紙中心Ｐ０とが合致し，レジストローラ２３で二次転写ローラ１８へ送り込まれる用紙Ｐの主走査方向の片寄りを補正し，画像位置に合わせることができる画像形成装置。」
　３　引用文献２について
　平成２９年１月２５日付け拒絶の理由に引用し，本願の出願日前である平成１７年７月１４日に頒布された特開２００５−１８６５５０号公報（以下「引用文献２」という。）には，図面とともに，以下の事項が記載されている。
　コ「【００２８】
　図１は，本発明を適用した
モノクロレーザビームプリンタ
　サ「【００５５】
　
印字を開始すると，エンジン制御部１０４６は，上述の各機構により給紙を開始し，読み取り部１０４７により読み取り器２０８０により得られた情報を元に搬送方向判断部１０６１よりプレプリント用紙に印刷されている画像の向きを判断し，その結果に応じて画像変換部１０６２により印字方向にあったビットマップ生成が行えるように画像オブジェクトの内容を変更する
給紙のタイミングにあわせてビットマップ画像展開部１０６０によりビットマップ画像を展開し，ビットマップ画像展開転送部１０３８において展開されたビットマップ画像は，印刷装置エンジン部１０３９に送られ，印字が行われて排紙される
　引用文献２の上記記載事項を含め，引用文献２の全記載を総合すると，引用文献２には以下の事項（以下，「引用発明２」という。）が記載されていると認められる。
　「印字を開始すると，エンジン制御部１０４６は，給紙を開始し，読み取り部１０４７により読み取り器２０８０により得られた情報を元に搬送方向判断部１０６１よりプレプリント用紙に印刷されている画像の向きを判断し，その結果に応じて画像変換部１０６２により印字方向にあったビットマップ生成が行えるように画像オブジェクトの内容を変更し，該給紙のタイミングにあわせてビットマップ画像展開部１０６０によりビットマップ画像を展開し，ビットマップ画像展開転送部１０３８において展開されたビットマップ画像は，印刷装置エンジン部１０３９に送られ，印字が行われて排紙されるモノクロレーザビームプリンタ。」
　４　引用文献５について
　平成２９年５月３１日付け拒絶査定において周知技術を示す文献として引用し，本願の出願日前である平成１８年３月３０日に頒布された特開２００６−８２９３７号公報（以下「引用文献５」という。）には，図面とともに，以下の事項が記載されている。
　シ「【００１４】
　ところで，最近ではオン・デマンド・プリンティングへのニーズが高まり，あらゆるタイプのシートに対して良好に，かつ高速に画像を形成することのできる
画像形成装置
サイズの異なるシートに対して交互に画像を形成するプリンタジョブが設定されることがある。そして，このようなジョブが設定されたとき，シートサイズごとに突き当て板の位置を変更する，あるいはシフトローラ６０のシフト幅を変更することで対処している
【００１５】
　ところが，このような場合
，突き当て板の位置移動には例えば最大６０００ｍｓを要し，またシフト幅を変更するにしても，シフトローラ６０は，シフトローラ６０から画像形成部１００（転写部１０１）までシートが搬送されるまでの間にシートの移動を完了させる必要がある
　引用文献５の上記記載事項を含め，引用文献５の全記載を総合すると，引用文献５には以下の事項（以下，「引用発明５」という。）が記載されていると認められる。
　「サイズの異なるシートに対して交互に画像を形成するプリンタジョブが設定されると，シートサイズごとに突き当て板の位置を変更する，あるいはシフトローラ６０のシフト幅を変更することで対処する画像形成装置において，突き当て板の位置移動には例えば最大６０００ｍｓを要し，また，シフトローラ６０は，シフトローラ６０から画像形成部１００（転写部１０１）までシートが搬送されるまでの間にシートの移動を完了させる必要がある画像形成装置。」
第５　対比・判断
　１　本願発明１について
　（１）対比
　本願発明１と引用発明１とを対比する。
　後者の「感光ドラム４０３が回転を開始すると〜プリンタ本体４０１」は，前者の「画像形成部」又は「画像形成装置」に相当する。
　後者の「ラインセンサ５０１」は，用紙がタイミングセンサ５０３到達後６１ｍｓ経過したかどうかの判定を行い，６１ｍｓ経過したらラインセンサ５０１により用紙端部位置データを取得しており，これは，画像形成部に搬送される用紙の検出対象位置が通過する際に用紙の幅方向の位置を検出するといえるから，前者の「片寄り検出部」に相当する。
　また，後者の「ラインセンサ５０１」は，シート給送装置４０８から給紙される用紙及び両面搬送路４１２から搬送される用紙が通過する「用紙ガイド５０７」に配置されており，【図３】及び【図４】の記載を踏まえると，「用紙ガイド５０７」は画像形成部の用紙搬送方向上流にあるから，後者の「ラインセンサ５０１」も，画像形成部の用紙搬送方向上流にあることになる。
　したがって，後者には，前者の「画像形成部の用紙搬送方向上流に配置され，前記画像形成部に搬送される用紙の検出対象位置が通過する際に用紙の幅方向の位置を検出する片寄り検出部」に相当する構成が備わっていることになる。
　後者において「用紙端部位置データとプリンタ制御部内のメモリに記録した基準の用紙端部位置データとを比較し，その差分を演算し，該差分に予め初期調整時に得られプリンタ制御部のメモリ内に記録している印刷開始位置補正値を付加し，幅方向の印刷開始位置補正値を決定し，プリンタ制御部は印刷開始位置補正回路部に対して印刷開始位置補正データを出力し，印刷開始位置補正回路部では上位システムより送信される画像データに対して，本補正データに基づき印刷開始位置補正を行」っており，前者と同様に「片寄り検出部の検出結果に基づいて，用紙と画像の位置合わせ」を行っているといえるから，後者において実質的に前者の「位置合わせ部」に相当する構成が備わっていることは自明である。
　後者の「プレプリント」，特に用紙端部位置検出部にある「プレプリント」は，前者の予め設定された前記検出対象位置に形成された「画像」に相当する。
　後者の「プレプリント用紙」は，前者の「用紙」に相当する。
　後者において「用紙先端及び後端の用紙端部位置検出部にプレプリントがあり，初期設定における用紙端検出部の先端側は用紙先端から６３ｍｍ，後端側は用紙後端から４３ｍｍとなっており，該用紙端検出部から，プレプリントのない部位までの距離は先端側で１０ｍｍ，後端側で５ｍｍであった場合，先端側の用紙端部位置検出部を１５ｍｍ後端側にずらし，後端側の用紙端部位置検出ポイントを１０ｍｍ先端端側にずらすようにオペレータパネル５１０から設定」しているから，前者の「片寄り補正に関する情報を再設定」することに相当する構成を後者が備えていることは自明である。
　また，後者の「オペレータパネル５１０」及び該オペレータパネル５１０の設定に伴う制御を行う「プリンタ制御部５０８」は，前者の「制御部」に相当する。
　後者のオペレータパネル５１０からの検出部設定範囲は「用紙先端側はラインセンサによる読取タイミングの基準としているタイミングセンサへの用紙到達後から，画像データの書き出し前までの期間であり，距離に換算すると，用紙先端から５３ｍｍ〜８３ｍｍの間」であって，ここでの「画像データの書き出し前」とは「用紙が転写部に到達する前」を意味することは明らかであるから，後者の「用紙先端から５３ｍｍ〜８３ｍｍの間」が，前者の「検出適合領域」に相当することとなり，前者の「用紙が転写部に到達する前に検出対象位置を再設定」するに相当する構成を後者が備えていることは自明である。
　以上のことより，両者は，
〈一致点〉
　「用紙に画像を形成する画像形成部と，
　前記画像形成部の用紙搬送方向上流に配置され，前記画像形成部に搬送される用紙の検出対象位置が通過する際に用紙の幅方向の位置を検出する片寄り検出部と，
　前記片寄り検出部の検出結果に基づいて，用紙と画像の位置合わせを行う位置合わせ部と，
　予め設定された前記検出対象位置に画像が形成されている用紙が用いられる場合に，前記検出対象位置を含む片寄り補正に関する情報を再設定する制御部と，を備え，
　前記制御部は，検出適合領域内で前記検出対象位置を再設定する画像形成装置。」
　である点で一致し，以下の点で相違している。
＜相違点＞
　相違点１
　片寄り検出部に関して，本願発明は「（用紙の）幅方向中央から端部に向けて走査」しているのに対して，引用発明１では，その点については明らかではない点。
　相違点２
　位置合わせ部に関して，本願発明は「片寄り検出部の用紙搬送方向上流に配置され，前記画像形成部に用紙を搬送するレジストローラーと，前記レジストローラーを用紙幅方向に直線移動させ，用紙の幅方向の位置を基準位置に戻す片寄り補正部と，を有し」ているのに対して，引用発明１では用紙と画像の位置合わせを行っているものの，「印刷開始位置補正データ」を用いて位置合わせを行っている点。
　相違点３
　検出適合領域内に関して，本願発明は「少なくとも用紙が転写部に到達する前にレジストローラーの直線移動動作を完了でき」るものであるのに対して，引用発明１では，用紙が転写部に到達する前であるものの，「タイミングセンサ５０３への用紙到達後から，画像データの書き出し前までの期間」である点。
　（２）相違点についての判断
　事案に鑑み相違点１について検討する。
　引用発明１において，「プリンタ制御部５０８とラインセンサ５０１間に設けたＡＤ変換回路部で設定されたしきい値により二値化され，用紙のある部分は“Ｈ”信号，用紙のない部分は“Ｌ”信号としてプリンタ制御部５０８に送信され，プリンタ制御部５０８ではラインセンサ５０１から出力された“Ｈ”信号の数をカウントし，１９発連続して“Ｈ”信号をカウントできた部位を用紙端と認識する用紙端認識回路」を設けているが，ラインセンサ５０１の走査方向については，何らの記載も示唆もない。
　引用発明３において，ラインセンサ５０１の走査方向については，何らの記載も示唆もなく，引用発明２及び５にも同様に記載も示唆もない。
　そして，本願発明１は，相違点１に係る本願発明１の発明特定事項を備えることによって，「用紙端部の近傍に紙粉等があることによる誤検出を防止するため，片寄り検出センサー８５で用紙中央から端部に向けて走査したときに最初に現れるセンサー出力の変化点の出現位置が，用紙の端部位置として検出される」（段落【００５９】）という顕著な効果を奏するものである。　
　また，相違点１に係る本願発明１の発明特定事項が，本願出願前において周知技術であるともいえないし，当業者にとって設計的事項とする根拠もない。
　したがって，他の相違点について判断するまでもなく，本願発明１は，当業者であっても引用発明１乃至３及び５に基づいて容易に発明できたものであるとはいえない。
　２　本願発明２乃至５について
　本願発明２乃至５は，いずれも，本願発明１の発明特定事項を備え，さらに他の発明特定事項を限定したものであるから，本願発明１と同じ理由により，当業者であっても，引用発明１乃至３及び５に基づいて容易に発明できたものとはいえない。
第６　むすび
　以上のとおり，本願発明１乃至５は，当業者が引用発明１乃至３及び５に基づいて容易に発明をすることができたものではない。
　したがって，原査定の理由によっては，本願を拒絶することはできない。
　また，他に本願を拒絶すべき理由を発見しない。
　よって，結論のとおり審決する。